(57)【要約】【課題】静電気放電に対する耐性をより向上させることができる操作端末器を提供する。【解決手段】操作端末器は、スイッチ２２と、回路ブロック２３と、ケース２０と、操作部２１と、絶縁ボス２８４と、を備えている。回路ブロック２３は、スイッチ２２のオンオフに応じた操作信号を、信号線を介して親機に送信する。ケース２０は、電気絶縁性を有している。ケース２０は、スイッチ２２及び回路ブロック２３を収納しており、スイッチ２２の前方には操作用孔２８１が形成されている。操作部２１は、ケース２０の前方に設けられており、押し操作により加わる力を、操作用孔２８１を通してスイッチ２２に伝達してスイッチ２２のオンオフを切り替える。絶縁ボス２８４は、電気絶縁性を有し、ケース２０における操作用孔２８１の周囲から前方に突出する。【選択図】図１
2017068992.tif 000002
【特許請求の範囲】
【請求項１】
スイッチと、
前記スイッチのオンオフに応じた操作信号を、信号線を介して親機に送信する回路ブロックと、
電気絶縁性を有し、前記スイッチ及び前記回路ブロックを収納しており、前記スイッチの前方には操作用孔が形成されたケースと、
前記ケースの前方に設けられており、押し操作により加わる力を、前記操作用孔を通して前記スイッチに伝達して前記スイッチのオンオフを切り替える操作部と、
電気絶縁性を有し、前記ケースにおける前記操作用孔の周囲から前方に突出する絶縁ボスと、
を備える操作端末器。
【請求項２】
前記スイッチ及び前記操作部は一対一に対応して複数ずつ設けられている請求項１に記載の操作端末器。
【請求項３】
前記絶縁ボスの内周面は円筒状である請求項１又は２に記載の操作端末器。
【請求項４】
前記操作部の後面には、前記スイッチに向けて突出する突起が形成されており、
前記操作部は、押し操作時に、前記絶縁ボスで囲まれた空間を通して前記突起の先端部で前記スイッチを押すように構成されている請求項１〜３のいずれか１項に記載の操作端末器。
【請求項５】
前記操作部は、後面が開口したラベル収納スペースと、前記ラベル収納スペースの開口を塞ぐ蓋部とを有し、
前記蓋部は、前記ケースの前面に沿う一方向の一端部に軸部を有し、前記軸部周りで回転することにより前記ラベル収納スペースの開口を開閉するように構成されており、
前記突起は、前記蓋部の後面に形成されている請求項４に記載の操作端末器。
【請求項６】
前記操作部の後面からの前記突起の突出寸法は、前記ケースの前面に直交する方向における前記絶縁ボスの先端面から前記スイッチの前面までの寸法より大きい請求項４又は５に記載の操作端末器。
【発明の詳細な説明】
【技術分野】
【０００１】
本発明は、操作端末器に関する。
【背景技術】
【０００２】
従来、信号線を介して操作信号（伝送信号）の送受信を行い、その信号に基づいて照明システム等における負荷（機器）の動作設定を行う操作端末器（壁埋込型操作器）が知られている（例えば特許文献１参照）。この種の操作端末器は、操作信号用の信号処理回路を有している。
【先行技術文献】
【特許文献】
【０００３】
【特許文献１】特開２０１２−１２８９７８号公報
【発明の概要】
【発明が解決しようとする課題】
【０００４】
この種の操作端末器においては、人が操作する際に静電気放電が発生したときに、操作端末器や制御システムの誤動作や、操作端末器内部の電子回路への静電気の影響を抑制することが望まれる。
【０００５】
本発明は上記事由に鑑みてなされており、静電気放電に対する耐性をより向上させることができる操作端末器を提供することを目的とする。
【課題を解決するための手段】
【０００６】
本発明の操作端末器は、スイッチと、前記スイッチのオンオフに応じた操作信号を、信号線を介して親機に送信する回路ブロックと、電気絶縁性を有し、前記スイッチ及び前記回路ブロックを収納しており、前記スイッチの前方には操作用孔が形成されたケースと、前記ケースの前方に設けられており、押し操作により加わる力を、前記操作用孔を通して前記スイッチに伝達して前記スイッチのオンオフを切り替える操作部と、電気絶縁性を有し、前記ケースにおける前記操作用孔の周囲から前方に突出する絶縁ボスと、を備える。
【発明の効果】
【０００７】
本発明は、静電気放電に対する耐性をより向上させることができる、という利点がある。
【図面の簡単な説明】
【０００８】
【図１】図１Ａは、実施形態１に係る操作端末器の要部の拡大斜視図、図１Ｂは、実施形態１に係る操作端末器の要部の拡大断面図である。
【図２】実施形態１に係る操作端末器の構成を示す斜視図である。
【図３】実施形態１に係る操作端末器の構成を示し、斜め前方から見た分解斜視図である。
【図４】実施形態１に係る操作端末器の構成を示し、斜め後方から見た分解斜視図である。
【図５】実施形態１に係る操作端末器を用いた監視制御システムの概略構成を示すブロック図である。
【図６】実施形態２に係る操作端末器の構成を示す斜視図である。
【図７】実施形態２に係る操作端末器の構成を示し、斜め前方から見た分解斜視図である。
【図８】実施形態２に係る操作端末器の構成を示し、斜め後方から見た分解斜視図である。
【図９】図９Ａは実施形態２に係るパネルユニットの構成を示す斜視図、図９Ｂは実施形態２に係るパネルユニットの構成を示す切断部端面図である。
【発明を実施するための形態】
【０００９】
以下の実施形態は、操作端末器に関し、とくにスイッチのオンオフに応じた操作信号を信号線を介して親機に送信する操作端末器に関する。
【００１０】
（実施形態１）
（１）概要
本実施形態の操作端末器２は、図１Ａ〜図４に示すように、スイッチ２２と、回路ブロック２３と、ケース２０と、操作部２１と、絶縁ボス２８４と、を備えている。
【００１１】
回路ブロック２３は、スイッチ２２のオンオフに応じた操作信号を、信号線７（図５参照）を介して伝送ユニット（親機）１（図５参照）に送信する。ケース２０は、電気絶縁性を有している。ケース２０は、スイッチ２２及び回路ブロック２３を収納しており、スイッチ２２の前方には操作用孔２８１が形成されている。操作部２１は、ケース２０の前方に設けられており、押し操作により加わる力を、操作用孔２８１を通してスイッチ２２に伝達してスイッチ２２のオンオフを切り替える。絶縁ボス２８４は、電気絶縁性を有し、ケース２０における操作用孔２８１の周囲から前方に突出する。
【００１２】
本実施形態では、スイッチ２２及び操作部２１は、一対一に対応して複数ずつ設けられている。つまり、スイッチ２２は、複数（本実施形態では８つ）設けられており、操作部２１も同様に、複数（本実施形態では８つ）設けられている。以下では、複数のスイッチ２２を区別する場合、複数のスイッチ２２の各々を「スイッチ２２１」〜「スイッチ２２８」という。また、複数の操作部２１を区別する場合、複数の操作部２１の各々を「操作部２１１」〜「操作部２１８」という。複数の操作部２１１〜２１８は、複数のスイッチ２２１〜２２８に一対一に対応して設けられている。さらにまた、本実施形態では、複数の操作部２１１〜２１８の集合を「操作ブロック２１０」ともいう。操作ブロック２１０を構成する個々の操作部２１は、固定枠２７０に保持される。固定枠２７０は、操作ブロック２１０と共にケース２０の前面を覆うように、ケース２０に取り付けられる。操作ブロック２１０は、固定枠２７０と共に「パネルユニット９」を構成する。
【００１３】
（２）詳細
以下に説明する構成は、本発明の一例に過ぎず、本発明は、下記実施形態に限定されることはなく、この実施形態以外であっても、本発明に係る技術的思想を逸脱しない範囲であれば、設計等に応じて種々の変更が可能である。また、本実施形態では、パネルユニット９の前面９０１に直交する方向を前後方向とし、かつパネルユニット９の前面９０１が前方を向いていることとして説明するが、この方向は操作端末器２の使用形態を限定する趣旨ではない。つまり、パネルユニット９の前面９０１が前方を向いていることは必須ではなく、操作端末器２は、例えば天井などに取り付けられ、パネルユニット９の前面９０１が下方を向いた状態で使用されてもよい。
【００１４】
（２．１）監視制御システム
本実施形態の操作端末器２が用いられる監視制御システム１０について説明する。
【００１５】
監視制御システム１０は、図５に示すように、親機としての伝送ユニット１と、子機としての複数（本実施形態では２つ）の操作端末器２とを備える。また、本実施形態の監視制御システム１０は、複数（本実施形態では２つ）の制御端末器３をさらに備える。これらの伝送ユニット１、操作端末器２及び制御端末器３は、２線式（図では１線で表す）の信号線７により互いに電気的に接続されている。
【００１６】
各制御端末器３には、図５に示すように、複数（本実施形態では４つ）のリレー４が接続線８により電気的に接続されている。また、各リレー４は、対応する照明器具５と電源との間に電気的に接続されている。そして、各リレー４は、制御端末器３からの出力に従って、対応する照明器具５への給電経路を形成する状態と、対応する照明器具５への給電経路を遮断する状態とが切り替わる。つまり、制御端末器３は、リレー４を制御することによって、リレー４に電気的に接続された負荷（本実施形態では照明器具５）の通電状態を制御する。なお、図５では、左側の制御端末器３に電気的に接続されるリレー４及び照明器具５の図示を省略している。
【００１７】
各操作端末器２及び各制御端末器３には、固有のアドレスが設定される。伝送ユニット１は、これらのアドレスを用いて操作端末器２及び制御端末器３を個別に認識する。ここで、１つの操作端末器２に複数のスイッチ２２が備わっている場合には、複数のスイッチ２２の各々に固有のアドレスが設定される。同様に、１つの制御端末器３に複数のリレー４が接続されている場合には、複数のリレー４の各々に固有のアドレスが設定される。
【００１８】
監視制御システム１０では、例えば双極性（±２４Ｖ）の時分割多重信号からなる伝送信号によりデータの送受信が行われる。伝送ユニット１は、サイクリックに変更されるアドレスデータを含む伝送信号を信号線７に対して定期的に送出する。一方、操作端末器２及び制御端末器３は、伝送信号に含まれるアドレスデータが自己のアドレスに一致すると、伝送信号に含まれる制御データを取り込む。そして、操作端末器２及び制御端末器３は、伝送信号の信号返送期間において監視データを電流モード信号として返送する。
【００１９】
例えば、操作端末器２は、自己が備えるスイッチ２２１〜２２８の操作状態を監視データとして伝送ユニット１に返送する。制御端末器３は、対応する照明器具５の制御状態（リレー４のオンオフ）を監視データとして伝送ユニット１に返送する。なお、電流モード信号とは、信号線７の線間を開放した状態と、線間に低インピーダンスの素子を接続した状態との切り替えによって生じる電流変化で表される信号である。
【００２０】
上記構成の監視制御システム１０によれば、操作端末器２においてスイッチ２２が操作されると、操作端末器２から親機（伝送ユニット１）へは、信号線７を介して操作信号が送信されることになる。ここでいう操作信号は、スイッチ２２のオンオフに応じて操作端末器２で発生する信号であって、操作端末器２から伝送ユニット１へ送信される電流モード信号である。
【００２１】
操作端末器２からの操作信号を受信した伝送ユニット１は、操作されたスイッチ２２にアドレスが対応するリレー４を制御するための制御信号を、信号線７を介して制御端末器３へ送信する。ここでいう制御信号は、リレー４をオンオフするための信号であって、伝送ユニット１から制御端末器３へ送信される信号である。
【００２２】
なお、本実施形態の操作端末器２においては、上述したアドレスの設定作業にアドレス設定器が用いられる。つまり、操作端末器２はアドレス設定器との通信機能を有しており、複数のスイッチ２２の各々のアドレスがアドレス設定器を用いて入力される。本実施形態では、操作端末器２とアドレス設定器との間の通信方式は、通信媒体として赤外線を用いた光通信である。ただし、この構成に限らず、操作端末器２とアドレス設定器との間の通信方式として、例えば可視光や電波を通信媒体に用いた通信方式が採用されてもよい。また、例えばアドレス設定器は操作端末器２と電線により電気的に接続され、電線を介してアドレスデータを送信してもよい。つまり、操作端末器２とアドレス設定器とが有線通信するように構成されていてもよい。
【００２３】
（２．２）操作端末器
本実施形態の操作端末器２は、図２に示すように、ケース２０と、正面視が正方形状に形成されたパネルユニット９とを備えている。パネルユニット９は、操作ブロック２１０と、操作ブロック２１０を保持する固定枠２７０とで構成されている。操作ブロック２１０は、複数（本実施形態では８つ）の操作部２１１〜２１８にて構成されている。本実施形態では、固定枠２７０は、前面の中央部にセンターパネル２５を有している。複数の操作部２１１〜２１８は、パネルユニット９の前面９０１においてセンターパネル２５を囲むように配置されている。以下では、操作部２１１〜２１３が並ぶ方向を上下方向、かつ操作部２１１から見て操作部２１２側を下方とし、さらに、操作部２１３〜２１５が並ぶ方向を左右方向、かつ操作部２１３から見て操作部２１４側を右方として説明する。ただし、これらの方向は操作端末器２の使用形態を限定する趣旨ではない。
【００２４】
固定枠２７０は、四角枠状の周壁２９５を有している。本実施形態では、周壁２９５は正面視において正方形状に形成されている。操作ブロック２１０（複数の操作部２１）及びセンターパネル２５は、周壁２９５で囲まれた領域に配置されている。言い換えれば、パネルユニット９の前面９０１は、複数の操作部２１と、センターパネル２５と、複数の操作部２１及びセンターパネル２５を囲むように配置された周壁２９５とで構成される。なお、本実施形態では、複数の操作部２１が固定枠２７０に保持された状態において、複数の操作部２１の前面及びセンターパネル２５の前面は、周壁２９５の前面と略面一になる。つまり、パネルユニット９の前面９０１は略フラットになる。
【００２５】
ここで、固定枠２７０及び複数の操作部２１は、いずれも電気絶縁性を有する合成樹脂製である。さらに、本実施形態では、センターパネル２５は、操作端末器２とアドレス設定器との間の通信媒体として用いられる光（赤外線）に対して透過性を有している。
【００２６】
センターパネル２５及び複数の操作部２１の各々の正面視の形状は、センターパネル２５及び複数の操作部２１において略同一の正方形状に形成されている。ここで、パネルユニット９の前面９０１において、センターパネル２５及び複数の操作部２１がＮ×Ｎ（Ｎは３以上の奇数。本実施形態ではＮ＝３）のマトリクス状に配置されている。このように正面視が正方形状のセンターパネル２５及び複数の操作部２１がＮ×Ｎのマトリクス状に配置されることで、正方形状の前面９０１は、略全面がセンターパネル２５及び複数の操作部２１にて埋め尽くされる。このとき、前面９０１の一辺の長さは、正面視においてセンターパネル２５及び複数の操作部２１の各々の一辺の長さの略Ｎ倍（本実施形態では３倍）となる。
【００２７】
この構成では、複数の操作部２１は、上下方向において対称となり、かつ左右方向においても対称となる。そのため、複数の操作部２１は、パネルユニット９の前面９０１に直交しかつパネルユニット９の前面９０１の中心を通る対称軸Ａ１（図２参照）周りで４回回転対称となる。言い換えれば、複数の操作部２１は、対称軸Ａ１を中心に９０度、１８０度、２７０度、３６０度の４つの回転位置にて回転対称となる。
【００２８】
本実施形態において、さらに詳しくは、正面視においてセンターパネル２５及び複数の操作部２１の各々の一辺の長さは、パネルユニット９の前面９０１の一辺の長さの３分の１より僅かに短く設定されている。そのため、前面９０１において、センターパネル２５と複数の操作部２１の各々との間、及び隣接する２つの操作部２１間には、僅かな隙間が設けられている。この隙間により、センターパネル２５と複数の操作部２１の各々との間、及び隣接する２つの操作部２１間における、操作部２１の操作時の干渉が回避される。
【００２９】
操作ブロック２１０及び固定枠２７０（センターパネル２５を含む）で構成されるパネルユニット９は、ケース２０の前面を覆うように、ケース２０に取り付けられる。言い換えれば、固定枠２７０は、複数の操作部２１を保持し、複数の操作部２１と共にケース２０の前面を覆うように、ケース２０に取り付けられる。
【００３０】
また、操作端末器２は、複数の操作部２１１〜２１８に一対一に対応して設けられ、操作信号による負荷（本実施形態では照明器具５）の制御状態を表す複数（本実施形態では８つ）の表示部２４１〜２４８をさらに備えている。以下では、複数の表示部２４１〜２４８をとくに区別しない場合、複数の表示部２４１〜２４８の各々を「表示部２４」という。すなわち、操作部２１には、対応するスイッチ２２のオンオフに応じた操作信号による負荷の制御状態を表す表示部２４が設けられる。複数の表示部２４の各々は、ＬＥＤ（Light Emitting Diode）２４９（図３参照）を用いて構成されており、負荷の制御状態に応じて点灯状態が変化する。つまり、表示部２４に対応する操作部２１の操作に応じた負荷の制御状態が、表示部２４の点灯状態によって表示される。ここでいう点灯状態は、表示部２４の発光色（例えば赤、緑）や、表示部２４の点灯、消灯、点滅の別、さらには点滅パターンなどである。
【００３１】
複数の表示部２４は、図１に示すように、それぞれ対応する操作部２１に設けられており、センターパネル２５を囲むように配置されている。ここで、複数の表示部２４の各々は、パネルユニット９の前面９０１に沿う平面内において、複数の操作部２１のうち対応する操作部２１の中心位置よりもセンターパネル２５側に配置されている。つまり、複数の表示部２４の各々は、対応する操作部２１の前面において、外側（前面９０１の外周縁側）よりも内側（センターパネル２５側）に寄った位置に配置されている。本実施形態では、各表示部２４からセンターパネル２５までの距離が複数の表示部２４において略同一となるように、複数の表示部２４がセンターパネル２５の外周縁に沿って配置されている。
【００３２】
すなわち、操作部２１１に対応する表示部２４１は、操作部２１１の右下角部に配置され、操作部２１３に対応する表示部２４３は、操作部２１３の右上角部に配置されている。また、操作部２１５に対応する表示部２４５は、操作部２１５の左上角部に配置され、操作部２１７に対応する表示部２４７は、操作部２１７の左下角部に配置されている。さらに、操作部２１２に対応する表示部２４２は、表示部２４１と表示部２４３とを結ぶ線分の中点となる位置に配置され、操作部２１４に対応する表示部２４４は、表示部２４３と表示部２４５とを結ぶ線分の中点となる位置に配置されている。また、操作部２１６に対応する表示部２４６は、表示部２４５と表示部２４７とを結ぶ線分の中点となる位置に配置され、操作部２１８に対応する表示部２４８は、表示部２４１と表示部２４７とを結ぶ線分の中点となる位置に配置されている。
【００３３】
このように配置されることで、複数の表示部２４は、上下方向において対称となり、かつ左右方向においても対称となる。そのため、複数の表示部２４は、パネルユニット９の前面９０１に直交しかつパネルユニット９の前面９０１の中心を通る対称軸Ａ１（図２参照）周りで４回回転対称となる。言い換えれば、複数の表示部２４は、対称軸Ａ１を中心に９０度、１８０度、２７０度、３６０度の４つの回転位置にて回転対称となる。
【００３４】
また、上述のように複数の操作部２１及び複数の表示部２４のいずれもが、パネルユニット９の前面９０１に直交しかつパネルユニット９の前面９０１の中心を通る対称軸Ａ１周りで４回回転対称となる構成によれば、部品の共通化を図ることが可能である。本実施形態では、複数の操作部２１１〜２１８のうち、前面９０１の４隅に位置する操作部２１１，２１３，２１５，２１７について、共通の部品が用いられている。同様に、複数の操作部２１１〜２１８のうち、操作部２１２，２１４，２１６，２１８について、共通の部品が用いられている。そのため、複数の操作部２１１〜２１８は、２種類の部品で構成されることになる。
【００３５】
なお、本実施形態では、センターパネル２５及び複数の操作部２１の各々、並びに固定枠２７０においては、角部がＲ（アール）面取りされている。ただし、面取りは操作端末器２に必須の構成ではなく、適宜省略可能である。
【００３６】
以下、本実施形態の操作端末器２の内部構成を含むより具体的な構成について、図３及び図４を参照して説明する。なお、図３及び図４においては、操作端末器２の主要部を図示し、細部の図示は適宜省略している。
【００３７】
ケース２０は、ボディ２６と内カバー２８とを有している。内カバー２８は、ボディ２６に対して前方から着脱可能に取り付けられ、ボディ２６に内カバー２８が取り付けられた状態でケース２０が構成される。ボディ２６及び内カバー２８は、いずれも電気絶縁性を有する合成樹脂製である。
【００３８】
ボディ２６は、正面視で固定枠２７０よりも一回り小さい正方形状に形成されている。ボディ２６には、前方に開放された収納凹所２６１が形成されている。ボディ２６における収納凹所２６１の周囲には、複数（本実施形態では４つ）の固定孔２６２が形成されている。固定孔２６２は、操作端末器２を埋込ボックスに固定するために用いられる孔であって、固定孔２６２を通して固定用ねじを埋込ボックスに締め付けることにより、埋込ボックスに対してボディ２６が固定される。
【００３９】
本実施形態では、複数の固定孔２６２は、ボディ２６の前面における上下左右の各辺における中央部付近に形成されている。この構成では、複数の固定孔２６２は、上下方向において対称となり、かつ左右方向においても対称となる。これにより、上下方向又は左右方向のいずれかに並ぶ一対のねじ孔のみが設けられた埋込ボックスに対しても、操作端末器２の縦方向（鉛直方向）と横方向（水平方向）とを入れ替えて、操作端末器２を取付可能となる。なお、収納凹所２６１は、各固定孔２６２の近傍を除いてボディ２６の前面の外周縁に向けて張り出した形状に形成されている。言い換えれば、収納凹所２６１の開口は、上下左右の各辺における中央部付近において収納凹所２６１の内側に凹んだ形状に形成されている。
【００４０】
また、操作端末器２は、ケース２０に収納される回路ブロック２３を備えている。回路ブロック２３は、ボディ２６の収納凹所２６１内に収納される。回路ブロック２３は、プリント基板２３１に電子部品が実装されることにより構成されており、少なくとも信号線７を介して伝送ユニット（親機）１と通信する機能を有している。
【００４１】
回路ブロック２３は、通信部２３２及び中央処理装置（ＣＰＵ：Central Processing Unit）２３３を有している。さらに、回路ブロック２３にはアドレスを記憶する記憶部等が設けられている。通信部２３２は、プリント基板２３１の前面に実装されている。中央処理装置２３３は、プリント基板２３１の後面に実装されている。通信部２３２及び中央処理装置２３３は、いずれもプリント基板２３１のうちセンターパネル２５に対応する位置、つまりケース２０の中央部に相当する位置に配置されている。
【００４２】
通信部２３２は、操作端末器２のアドレスの設定などに用いられるアドレス設定器との通信機能を有している。本実施形態では、操作端末器２とアドレス設定器との間の通信方式は、通信媒体として赤外線を用いた光通信であるため、通信部２３２は、赤外線信号の受波を行う受光素子、及び送波を行う発光素子を有している。通信部２３２は、受光素子により受光した赤外線信号に含まれるアドレスデータを中央処理装置２３３へ出力し、中央処理装置２３３は、受け取ったアドレスデータに基づいて、各スイッチ２２と対応するアドレスとを関連付けて記憶部に記憶させる。
【００４３】
中央処理装置２３３は、少なくとも複数のスイッチ２２の各々のオンオフに応じた操作信号を、信号線７を介して伝送ユニット（親機）１に送信する機能を有している。さらに、中央処理装置２３３は、複数のスイッチ２２の各々のアドレスの設定や、複数の表示部２４の各々の制御を行う機能を有している。
【００４４】
さらに、本実施形態では、プリント基板２３１には、複数の操作部２１１〜２１８に一対一に対応する複数のスイッチ２２１〜２２８が実装されている。ここで、各スイッチ２２は、対応する操作部２１の押し操作によりオンオフが切り替わる押しボタンスイッチである。複数のスイッチ２２は、プリント基板２３１の前面に実装されており、回路ブロック２３と共にケース２０に収納される。本実施形態では、各スイッチ２２は、対応する操作部２１が押し操作されている間だけオンになり、操作部２１の押し操作が終了するとオフになるモーメンタリ型の押しボタンスイッチである。
【００４５】
プリント基板２３１には、複数の表示部２４を構成する複数（本実施形態では８個）のＬＥＤ２４９がさらに実装される。複数のＬＥＤ２４９は、複数のスイッチ２２に一対一に対応してプリント基板２３１の前面に実装され、回路ブロック２３と共にケース２０に収納される。
【００４６】
内カバー２８は、収納凹所２６１の開口の形状に合わせて形成されている。内カバー２８は、収納凹所２６１内に回路ブロック２３が収納された状態で、収納凹所２６１の開口を塞ぐようにボディ２６に取り付けられる。内カバー２８がボディ２６に取り付けられた状態において、ボディ２６及び内カバー２８の前面がケース２０の前面に相当する。
【００４７】
内カバー２８において複数のスイッチ２２の各々に対応する位置には操作用孔２８１が形成されている。つまり、ケース２０は、スイッチ２２及び回路ブロック２３を収納しており、ケース２０におけるスイッチ２２の前方には操作用孔２８１が形成されている。また、内カバー２８において複数のＬＥＤ２４９の各々に対応する位置には表示用孔２８２が形成されている。
【００４８】
ここで、ケース２０（内カバー２８）における操作用孔２８１の周囲には、前方に突出する絶縁ボス２８４が形成されている。さらに、本実施形態では、ケース２０（内カバー２８）における表示用孔２８２の周囲には、前方に突出するボス２８５が形成されている。絶縁ボス２８４及びボス２８５の各々は、複数（本実施形態では８個）の操作部２１に一対一に対応するように、複数（本実施形態では８個）ずつ設けられている。絶縁ボス２８４及びボス２８５の詳細については、「（２．３）静電気対策」の欄で説明する。
【００４９】
さらに、本実施形態では、内カバー２８は、センターパネル２５と同様に、操作端末器２とアドレス設定器との間の通信媒体として用いられる光（赤外線）に対して透過性を有している。そのため、操作端末器２とアドレス設定器との間の通信媒体として用いられる光（赤外線）は内カバー２８及びセンターパネル２５を透過することができる。したがって、プリント基板２３１に実装された通信部２３２は、固定枠２７０の窓孔２９７を通して、アドレス設定器との間で赤外線信号の受波及び送波を行うことができる。
【００５０】
また、本実施形態の操作端末器２は、信号線７を接続するための端子ブロック２９をさらに備えている。端子ブロック２９は、電気絶縁性を有する合成樹脂製のベース２９１と、ベース２９１に保持される一対の端子板２９２、及び一対の端子ねじ２９３を有している。このような構成の端子ブロック２９は、端子ねじ２９３と端子板２９２との間に信号線７を挟むようにして端子板２９２と信号線７とを電気的に接続されるねじ式端子である。端子ブロック２９は、ボディ２６の中央部に形成された端子孔２６４に対して後方からベース２９１が取り付けられることにより、ボディ２６と一体化される。
【００５１】
固定枠２７０は、正面視が正方形状の保持板２９４と、保持板２９４の外周を囲む周壁２９５と、センターパネル２５とを有している。保持板２９４は、センターパネル２５及び複数の操作部２１を保持する。ここでは、センターパネル２５及び複数の操作部２１の各々の後面に設けられた爪２９６が保持板２９４に引っ掛かることにより、センターパネル２５及び複数の操作部２１が保持板２９４に保持される。操作部２１の後面には、スイッチ２２に向けて突出する突起９４２が形成されている。各操作部２１には、表示部２４を構成するレンズ２４０が取り付けられる。
【００５２】
保持板２９４において操作用孔２８１に対応する位置には第１孔２７７が形成されている。さらに、保持板２９４において表示用孔２８２に対応する位置には第２孔２７８が形成されている。
【００５３】
保持板２９４の中央部であってセンターパネル２５によって覆われる位置には、正方形状の窓孔２９７が形成されている。窓孔２９７の周縁には、前方に向けて突出するリブ２９８が設けられている。リブ２９８はセンターパネル２５の後面に接触することにより、センターパネル２５の後方への移動を規制する。そのため、センターパネル２５は、前後方向への移動が禁止された状態で保持板２９４に保持される。
【００５４】
一方、複数の操作部２１の各々は、押し操作が可能となるように、後方への移動が許容された状態で保持板２９４に保持される。具体的には、保持板２９４におけるリブ２９８の周囲であって各操作部２１に対応する位置には、保持板２９４の前面から斜め前方に突出するばね片２７６が設けられている。ばね片２７６は、１つの操作部２１に対して４つずつ設けられている。１つの操作部２１に対応する４つのばね片２７６は、先端部を操作部２１の後面における四隅に接触させるように配置されている。そのため、各操作部２１は、押し操作により前面に押圧力を受けると、対応する４つのばね片２７６を弾性変形させながら後方へと移動することになる。そして、各操作部２１への押圧力がなくなると、各操作部２１は対応する４つのばね片２７６の弾性力によって押し操作前の状態に復帰する。
【００５５】
この構成では、複数の操作部２１の各々は、パネルユニット９の前面９０１に直交する方向に移動可能にケース２０に保持されることになる。すなわち、複数の操作部２１の各々は、４つのばね片２７６にて後面の四隅が支持されているため、押し操作された際に前面を傾けることなく真っ直ぐ後方へ移動（直進移動）可能である。
【００５６】
さらに、周壁２９５の内周面には、パネルユニット９とケース２０との結合用の結合爪２７９が形成されている。パネルユニット９は、ボディ２６に形成された切欠部２６３に結合爪２７９が引っ掛かることにより、ケース２０に対して着脱可能に取り付けられる。つまり、ケース２０に対するパネルユニット９の取り付け方式は嵌め込み式であって、ねじを使用しないため、ドライバなどの治具を用いることなく、パネルユニット９の着脱が可能である。
【００５７】
以上説明したように構成される操作端末器２では、ケース２０とパネルユニット９との各々を先に組み立てることができる。そして、ケース２０を埋込ボックスに固定した後で、ケース２０の前方からパネルユニット９を嵌めるようにして、パネルユニット９をケース２０に取り付ければ、操作端末器２が完成する。
【００５８】
ケース２０にパネルユニット９が取り付けられた状態では、操作部２１の突起９４２は、第１孔２７７を通して固定枠２７０を貫通し、操作用孔２８１を通して内カバー２８を貫通して、その先端部がスイッチ２２に突き合わされる。これにより、操作部２１が押し操作されると、突起９４２にてスイッチ２２が押され、操作部２１に対応するスイッチ２２のオンオフが切り替わることになる。
【００５９】
また、ケース２０にパネルユニット９が取り付けられた状態では、内カバー２８の表示用孔２８２、及び固定枠２７０の第２孔２７８が前後方向に連続する。これにより、プリント基板２３１に実装されたＬＥＤ２４９の光は、レンズ２４０を通して操作部２１の前面に導光されることになる。
【００６０】
（２．３）静電気対策
以下、操作端末器２における静電気放電に対する耐性を向上させるための構成について、図１Ａ及び図１Ｂを参照して詳しく説明する。図１Ａ及び図１Ｂは、操作端末器２が組み立てられた状態、つまり、ケース２０にパネルユニット９が取り付けられた状態における操作端末器２について、複数のスイッチ２２のうち１つのスイッチ２２に着目した要部の拡大図である。図１Ａ及び図１Ｂでは、プリント基板２３１、スイッチ２２、内カバー２８、絶縁ボス２８４、及び操作部２１（突起９４２を含む）のみを図示し、その他の部材の図示は省略している。
【００６１】
操作端末器２は、上述したようにケース２０の一部を構成する内カバー２８における操作用孔２８１の周囲に、前方に突出する絶縁ボス２８４を備えている。絶縁ボス２８４は、電気絶縁性を有している。本実施形態では、絶縁ボス２８４は内カバー２８と一体に形成されている。絶縁ボス２８４の内周面は円筒状である。ここでは、絶縁ボス２８４は一定の厚みを持った円筒状である。
【００６２】
ここにおいて、絶縁ボス２８４で囲まれた空間は、内カバー２８の操作用孔２８１に連続する。そこで、内カバー２８に形成された操作用孔２８１だけでなく、絶縁ボス２８４で囲まれた空間についても操作用孔２８１ということとする。操作部２１は、押し操作時に、絶縁ボス２８４で囲まれた空間（操作用孔２８１）を通して、突起９４２の先端部でスイッチ２２を押すように構成されている。
【００６３】
具体的には、スイッチ２２は、接点を収納したハウジング２０１、及びハウジング２０１の前面から前方に突出するステム２０２を有している。スイッチ２２は、ステム２０２が後方に押されることにより、ハウジング２０１内の接点がオンする。突起９４２は、円柱状に形成されている。突起９４２の径は、絶縁ボス２８４の内径、つまり操作用孔２８１の径よりも小さく設定されている。これにより、突起９４２は絶縁ボス２８４で囲まれた空間（操作用孔２８１）に挿入され、突起９４２の先端部はステム２０２に突き合わされる。したがって、操作部２１の押し操作時には、絶縁ボス２８４で囲まれた空間を通して、突起９４２の先端部がスイッチ２２を押すことになる。
【００６４】
本実施形態では、ケース２０内に回路ブロック２３が収納された状態で、内カバー２８の後面にプリント基板２３１の前面が接触する。言い換えれば、プリント基板２３１は、内カバー２８の後方に隙間なく配置されている。スイッチ２２と内カバー２８との干渉を回避するため、操作用孔２８１の後端部は、スイッチ２２のハウジング２０１が収まる大きさ及び形状に拡大されている。ここでは、操作用孔２８１の後端部は、正面視がハウジング２０１より大きな四角形状に形成されている。
【００６５】
以上説明したように、本実施形態の操作端末器２は、ケース２０の操作用孔２８１の周囲に絶縁ボス２８４が形成されることにより、帯電した人（ユーザ）からの静電気放電に対する耐性を向上させることができる。静電気放電に対する耐性は、例えば「ＩＥＣ（International Electrotechnical Commission）６１０００−４−２」規格が適用される静電気イミュニティ試験によって評価される。この種の静電気イミュニティ試験では、放電ガンにより、操作端末器２に静電気が印加される。
【００６６】
より詳しくは、ケース２０からパネルユニット９が取り外された状態、及びケース２０にパネルユニット９が取り付けられた状態の各々において、操作端末器２への静電気の印加が行われる。ケース２０からパネルユニット９が取り外された状態での試験は、操作端末器２の施工時等を想定した試験であるから、ケース２０にパネルユニット９が取り付けられた状態での試験に比べて放電ガンからの印加電圧は低く設定される。ケース２０からパネルユニット９が取り外された状態では、例えば７〔ｋＶ〕程度の電圧が放電ガンから操作端末器２に印加される。
【００６７】
本実施形態の操作端末器２は、ケース２０に操作用孔２８１が形成されているため、ケース２０内の回路ブロック２３が操作用孔２８１を通してケース２０の外部空間に露出することになる。ただし、本実施形態では、ケース２０における操作用孔２８１の周囲には絶縁ボス２８４が形成されているため、ケース２０の外部空間と、回路ブロック２３との間の絶縁距離を、絶縁ボス２８４の分だけ延長することが可能である。要するに、本実施形態では、ケース２０に操作用孔２８１の周囲から前方に突出する絶縁ボス２８４が形成されていることにより、絶縁ボス２８４の突出寸法の分だけ、操作用孔２８１の周囲における絶縁距離を延長することができる。なお、ここでいう絶縁距離は、沿面距離と空間距離との両方を含む。
【００６８】
すなわち、操作端末器２の実際の使用時には人の指から、静電気イミュニティ試験においては放電ガンの先端部から、操作端末器２に静電気が印加されることになる。静電気の印加点となる人の指又は放電ガンの先端部が、絶縁ボス２８４の先端面に接触するとすれば、印加点から回路ブロック２３までの絶縁距離は、少なくとも絶縁ボス２８４の突出寸法以上確保されることになる。したがって、本実施形態の操作端末器２は、絶縁ボス２８４によって、静電気放電に対する耐性を向上させることができる。
【００６９】
また、絶縁ボス２８４は、ケース２０における操作用孔２８１の周囲から前方に突出する。そのため、本実施形態の操作端末器２は、ケース２０における操作用孔２８１の周囲から絶縁ボス２８４が後方に突出する構成に比べて、ケース２０（内カバー２８）とプリント基板２３１との距離を短くできる。つまり、本実施形態では、上述したようにプリント基板２３１を、内カバー２８の後方に隙間なく配置することが可能であって、その結果、前後方向における操作端末器２の寸法を小さく抑え、操作端末器２の薄型化を図ることができる。
【００７０】
なお、絶縁ボス２８４は、対応するスイッチ２２によって形状が異なっていてもよい。例えば、スイッチ２２２，２２４，２２６，２２８の各々に対応する絶縁ボス２８４は、完全な円筒状ではなく、内カバー２８の中央側を切り欠いた形状に形成されている。
【００７１】
次に、図１Ｂを参照して、各部の寸法関係について説明する。
【００７２】
本実施形態では、突起９４２の先端面（後面）とスイッチ２２の前面（ステム２０２の前面）とは、所定距離Ｈ１の分だけ隙間を空けて突き合わされている。所定距離Ｈ１は、例えば０．２〔ｍｍ〕〜０．３〔ｍｍ〕程度である。突起９４２とスイッチ２２との間にこのような隙間（ギャップ）が設定されることにより、ケース２０又は固定枠２７０にたわみが生じたとしても、例えばスイッチ２２が突起９４２に押されてオンし続ける、といった不具合が生じにくい。
【００７３】
なお、図１Ｂの例では、前後方向におけるスイッチ２２の前面の位置は、内カバー２８の厚み寸法内に位置している。つまり、スイッチ２２の前面は、内カバー２８の前面よりも後方に位置している。ただし、この構成に限らず、スイッチ２２の前面は、内カバー２８の前面よりも前方にあってもよい。
【００７４】
また、操作部２１の後面からの突起９４２の突出寸法Ｈ３は、ケース２０の前面に直交する方向（前後方向）における絶縁ボス２８４の先端面からスイッチ２２の前面までの寸法Ｈ２より大きく設定されている。このような寸法関係によれば、操作部２１の押し操作時に、突起９４２にてスイッチ２２を確実に押すことができる。なお、操作部２１の後面からの突起９４２の突出寸法Ｈ３は、絶縁ボス２８４の先端面から、操作部２１が押し操作されてスイッチ２２がオンした状態でのステム２０２の前面までの寸法よりも大きいことがより好ましい。
【００７５】
また、ケース２０（内カバー２８）における表示用孔２８２の周囲には、前方に突出するボス２８５（図３参照）が形成されている。ボス２８５の内径は、絶縁ボス２８４の内径よりも小さく設定されている。このようなボス２８５が設けられたことにより、表示用孔２８２の周囲においても、ケース２０の外部空間と、回路ブロック２３との間の絶縁距離を、ボス２８５の分だけ延長することができる。したがって、操作端末器２は、絶縁ボス２８４だけでなく、ボス２８５によっても静電気放電による耐性が向上する。
【００７６】
（３）効果
以上説明した本実施形態の操作端末器２においては、絶縁ボス２８４は、ケース２０における操作用孔２８１の周囲から前方に突出する。この構成によれば、ケース２０に操作用孔２８１が形成されていても、ケース２０の外部空間と、ケース２０内の回路ブロック２３との間の絶縁距離を、絶縁ボス２８４の分だけ延長することができる。したがって、操作端末器２は、静電気放電に対する耐性をより向上させることができる、という利点がある。その結果、本実施形態の操作端末器２においては、人が操作する際に静電気放電が発生したとしても、操作端末器２や監視制御システムの誤動作や、操作端末器２内部の電子回路への静電気の影響を抑制することができる。しかも、絶縁ボス２８４は、ケース２０における操作用孔２８１の周囲から前方に突出する。そのため、ケース２０（内カバー２８）とプリント基板２３１との距離を短くでき、前後方向における操作端末器２の寸法を小さく抑えることができる。すなわち、本実施形態の操作端末器２は、操作端末器２の薄型化を図りながらも静電気放電に対する耐性を確保することが可能である。
【００７７】
また、本実施形態のように、スイッチ２２及び操作部２１は一対一に対応して複数ずつ設けられていることが好ましい。この構成によれば、複数の操作部２１に対応して操作用孔２８１も複数設けられることになるので、絶縁ボス２８４による静電気放電に対する耐性向上の効果がより顕著になる。スイッチ２２及び操作部２１が複数ずつ設けられていることは操作端末器２に必須の構成ではなく、スイッチ２２及び操作部２１は１つずつであってもよい。
【００７８】
また、本実施形態のように、絶縁ボス２８４の内周面は円筒状であることが好ましい。この構成によれば、略球面状である人の指又は放電ガンの先端部が、絶縁ボス２８４内に進入しにくくなり、静電気の印加点から回路ブロック２３までの絶縁距離を確保しやすいという利点がある。
【００７９】
また、本実施形態のように、操作部２１の後面には、スイッチ２２に向けて突出する突起９４２が形成されていることが好ましい。この場合、操作部２１は、押し操作時に、絶縁ボス２８４で囲まれた空間を通して突起９４２の先端部でスイッチ２２を押すように構成されていることが好ましい。この構成によれば、操作部２１の押し操作により加わる力は、突起９４２にてスイッチ２２に伝達されるので、突起９４２の先端部に集中することになり、比較的弱い力でスイッチ２２を操作できる。しかも、操作部２１が過大な力で押し操作された際には、絶縁ボス２８４の先端部に操作部２１の後面が接触することで、スイッチ２２及びプリント基板２３１に加わる力が抑えられる。つまり、絶縁ボス２８４は過負荷防止用のリブとしての機能を兼ねることになる。本実施形態での突起９４２は操作端末器２に必須の構成ではなく、突起９４２は適宜省略されていてもよい。
【００８０】
また、本実施形態のように、操作部２１の後面からの突起９４２の突出寸法は、ケース２０の前面に直交する方向における絶縁ボス２８４の先端面からスイッチ２２の前面までの寸法より大きいことが好ましい。この構成によれば、操作部２１の押し操作時に、突起９４２にてスイッチ２２を確実に押すことができる。
【００８１】
（４）変形例
以下、実施形態１の変形例を列挙する。
【００８２】
絶縁ボス２８４の内周面は円筒状に限らず、例えば角筒状（四角筒状、六角筒状など）であってもよい。さらに、絶縁ボス２８４の外周面と内周面とは同一形状でなくてもよく、例えば絶縁ボス２８４の内周面は円筒状で絶縁ボス２８４の外周面は角筒状であってもよい。
【００８３】
また、実施形態１では、プリント基板２３１は内カバー２８の後方に隙間なく配置されているが、この構成に限らず、プリント基板２３１と内カバー２８との間に隙間が設けられていてもよい。つまり、ケース２０内に回路ブロック２３が収納された状態で、内カバー２８の後面からプリント基板２３１の前面が離れていてもよい。この場合でも、絶縁ボス２８４を設けたことにより静電気放電に対する耐性を確保することができるので、プリント基板２３１と内カバー２８との間の隙間を小さく抑え、操作端末器２の薄型化を図ることが可能である。
【００８４】
実施形態１では、ケース２０の正面視の形状は正方形状であるが、この構成に限らず、例えばケース２０は正面視が円形状に形成されていてもよい。同様に、センターパネル２５及び複数の操作部２１の各々の正面視の形状についても、正方形状に限らず円形状であってもよい。また、センターパネル２５及び複数の操作部２１の正面視の形状は同一でなくてもよい。
【００８５】
さらに、複数の操作部２１は、パネルユニット９の前面９０１においてセンターパネル２５を囲むように配置されていればよく、センターパネル２５及び複数の操作部２１がＮ×Ｎのマトリクス状に配置されていることは必須の構成ではない。例えば、センターパネル２５の周囲に、複数の操作部２１が円環状に並ぶように配置されていてもよい。
【００８６】
また、実施形態１では、センターパネル２５の前面と複数の操作部２１の前面とは、略面一に配置されているが、この構成は操作端末器２に必須の構成ではない。つまり、例えばセンターパネル２５の前面が複数の操作部２１の前面よりも後方に位置してもよいし、反対に、センターパネル２５の前面が複数の操作部２１の前面よりも前方に位置してもよい。
【００８７】
また、実施形態１では、監視制御システム１０が操作端末器２及び制御端末器３をそれぞれ２つ備える場合を例示しているが、監視制御システム１０は操作端末器２及び制御端末器３をそれぞれ１つ、又は３つ以上備えていてもよい。また、操作端末器２及び制御端末器３は、実施形態１のように同数であってもよいし、同数でなくてもよい。
【００８８】
また、通信部２３２、中央処理装置２３３、及び表示部２４は操作端末器２に必須の構成ではなく、通信部２３２、中央処理装置２３３、及び表示部２４は適宜省略されていてもよい。さらに、操作部２１としてピアノハンドル式スイッチやシーソー式スイッチの操作部（ハンドル）が適用されてもよい。
【００８９】
また、実施形態１では、制御端末器３に電気的に接続されるリレー４が４つの場合を例示しているが、リレー４は１つ、２つ又は３つでもよいし、５つ以上でもよい。
【００９０】
また、制御端末器３にてリレー４をオンオフすることにより制御される負荷は、照明器具５に限らず、例えば換気扇や空調装置などの負荷であってもよい。
【００９１】
なお、実施形態１では、複数の表示部２４の各々はＬＥＤ２４９により構成されているが、例えば７セグメントディスプレイ（Seven-Segment Display）や液晶ディスプレイ（ＬＣＤ：Liquid Crystal Display）により表示部２４が構成されていてもよい。
【００９２】
（実施形態２）
本実施形態の操作端末器２Ａは、図６〜図９Ｂに示すように、主にパネルユニット９Ａの構成が、実施形態１の操作端末器２とは相違する。以下、実施形態１と同一又は対応する構成については、実施形態１で用いた符号に「Ａ」を付加した符号を付し、適宜説明を省略する。
【００９３】
本実施形態では、センターパネル２５（図２参照）はなく、複数の操作部２１Ａは、図６に示すように、パネルユニット９Ａの前面９０１Ａにおいて、縦方向にＮ個、横方向にＭ個ずつ並ぶように配置されている。「Ｎ」、「Ｍ」はいずれも自然数であって、本実施形態では「Ｎ＝４」、「Ｍ＝２」である。以下では、操作部２１１Ａ〜２１４Ａが並ぶ方向（縦方向）を上下方向、かつ操作部２１１Ａから見て操作部２１２Ａ側を下方とし、さらに、操作部２１１Ａ，２１５Ａが並ぶ方向を左右方向、かつ操作部２１１Ａから見て操作部２１５Ａ側を右方として説明する。ただし、これらの方向は操作端末器２Ａの使用形態を限定する趣旨ではない。
【００９４】
ここで、複数の操作部２１Ａの各々は、正面視において縦横比が略１：２（＝縦：横）となる横方向（左右方向）に長い長方形状に形成されている。このようにそれぞれ縦横比が略１：２の長方形状に形成された複数の操作部２１Ａが、縦×横＝４×２で配置されることで、固定枠２７０Ａの外枠部２７で囲まれた正方形状の領域は、略全面が操作ブロック２１０Ａ（複数の操作部２１Ａ）にて埋め尽くされる。このとき、操作ブロック２１０Ａの前面の一辺の長さは、各操作部２１Ａの短辺の長さの略Ｎ倍（本実施形態では４倍）で、かつ各操作部２１Ａの長辺の長さの略Ｍ倍（本実施形態では２倍）となる。
【００９５】
このように、操作ブロック２１０Ａ（複数の操作部２１Ａ）は、外枠部２７で囲まれた領域に配置されている。言い換えれば、パネルユニット９Ａの前面９０１Ａは、複数の操作部２１Ａと、複数の操作部２１Ａを囲むように配置された外枠部２７とで構成される。なお、本実施形態では、複数の操作部２１Ａが固定枠２７０Ａに保持された状態において、複数の操作部２１Ａの前面は外枠部２７の前面と略面一になる。つまり、パネルユニット９Ａの前面９０１Ａは略フラットになる。
【００９６】
ここにおいて、複数の操作部２１Ａの各々は、左右方向の両端部に支点部９２４（図７参照）及び移動端９２５（図７参照）を有し、押し操作時には支点部９２４を中心に回転して移動端９２５が後方に移動するように、固定枠２７０Ａに保持されている。つまり、複数の操作部２１Ａの各々は、いわゆるピアノハンドルを構成し、移動端９２５が後方に押し込まれることにより、対応するスイッチ２２Ａのオンオフを切り替える。本実施形態では、各操作部２１Ａの左右方向の両端部のうち、外枠部２７に近い側の端部が支点部９２４となり、外枠部２７から遠い側の端部が移動端９２５となる。つまり、左右方向に並ぶ２つの操作部２１Ａのうち、正面視において左側の操作部２１Ａについては、左端部が支点部９２４、右端部が移動端９２５となる。一方、正面視において右側の操作部２１Ａについては、右端部が支点部９２４、左端部が移動端９２５となる。
【００９７】
本実施形態において、さらに詳しくは、正面視において複数の操作部２１Ａの各々の短辺の長さは、外枠部２７の内周縁の一辺の長さの４分の１より僅かに短く設定されている。同様に、正面視において複数の操作部２１Ａの各々の長辺の長さは、外枠部２７の内周縁の一辺の長さの２分の１より僅かに短く設定されている。そのため、パネルユニット９Ａの前面９０１Ａにおいて、隣接する２つの操作部２１Ａ間には、僅かな隙間が設けられている。この隙間により、隣接する２つの操作部２１Ａ間における、操作部２１Ａの操作時の干渉が回避される。
【００９８】
複数の表示部２４Ａは、図６に示すように、それぞれ対応する操作部２１Ａに設けられている。複数の表示部２４Ａの各々は、対応する操作部２１Ａにおける左右方向の中心位置よりも移動端９２５側に配置されている。すなわち、各表示部２４Ａは、対応する操作部２１Ａの前面において、左右方向の外枠部２７から遠い側の端部寄りの位置に配置されている。つまり、左右方向に並ぶ２つの操作部２１Ａのうち、正面視において左側の操作部２１Ａにあっては、表示部２４Ａは右端部に設けられている。一方、正面視において右側の操作部２１Ａにあっては、表示部２４Ａは左端部に設けられている。
【００９９】
以下、本実施形態の操作端末器２Ａの内部構成を含むより具体的な構成について、図７〜図９Ｂを参照して説明する。なお、図７〜図９Ｂにおいては、操作端末器２Ａの主要部を図示し、細部の図示は適宜省略している。
【０１００】
本実施形態では、複数（本実施形態では２つ）の固定孔２６２Ａは、ボディ２６Ａの前面における左右の各辺における中央部付近に形成されている。なお、収納凹所２６１Ａは、各固定孔２６２Ａの近傍を除いてボディ２６Ａの前面の外周縁に向けて張り出した形状に形成されている。言い換えれば、収納凹所２６１Ａの開口は、左右の各辺における中央部付近において収納凹所２６１Ａの内側に凹んだ形状に形成されている。
【０１０１】
複数（本実施形態では１６個）のＬＥＤ２４９Ａは、２個１組として、複数のスイッチ２２Ａの各々に対して１組（２個）のＬＥＤ２４９Ａが対応するように設けられている。なお、本実施形態では回路ブロック２３Ａにおける通信部の図示を省略している。
【０１０２】
内カバー２８Ａには、操作用孔２８１Ａ及び表示用孔２８２Ａに加えて、後述するハンドル９２の爪９２２に対応する位置に、前方に開放された凹所２８３が形成されている。ここで、ケース２０Ａ（内カバー２８Ａ）における操作用孔２８１Ａの周囲には、前方に突出する絶縁ボス２８４Ａが形成されている。さらに、ケース２０Ａ（内カバー２８Ａ）における表示用孔２８２Ａの周囲には、前方に突出するボス２８５Ａが形成されている。絶縁ボス２８４Ａ及びボス２８５Ａの各々の構成及び機能は、実施形態１における絶縁ボス２８４及びボス２８５の各々と同様である。
【０１０３】
ところで、複数の操作部２１Ａの各々は、表面カバー９１と、ハンドル９２と、蓋部９４とを有している。また、操作ブロック２１０Ａには、複数（本実形態では４つ）のハンドル９２を連結する連結部９３が設けられている。複数の操作部２１Ａは基本的な構成が共通であるので、以下では１つの操作部２１Ａに着目して説明する。
【０１０４】
ハンドル９２は、開口窓９２１を有する矩形枠状に形成されている。ハンドル９２の開口窓９２１は、ラベルを収納するためのラベル収納スペース９５（図９Ａ参照）を構成する。ここでいうラベルは、例えば「北側」、「南側」のように、スイッチ２２Ａに対応する負荷（本実施形態では照明器具５）を特定するための情報（名称等）が表記された、いわゆるネームカードである。
【０１０５】
ハンドル９２における左右方向の両端部は、支点部９２４及び移動端９２５に相当する。支点部９２４は、ハンドル９２における支点部９２４以外の部位に比べて薄肉に形成されたヒンジ構造である。支点部９２４は、連結部９３に繋がっている。これにより、ハンドル９２は、連結部９３に対して、支点部９２４を中心に回転して移動端９２５を後方に移動させることができる。
【０１０６】
ここで、ハンドル９２の左右方向の両端部のうち移動端９２５側の端部には、爪９２２及び透孔９２３が形成されている。爪９２２は、ハンドル９２の後面から後方に突出している。透孔９２３は、ハンドル９２を前後方向に貫通している。また、ハンドル９２の左右方向の両端部のうち支点部９２４側の端部において、開口窓９２１に面したハンドル９２の内周面には、蓋部９４を回転可能に保持するための軸受部９２６が形成されている。
【０１０７】
表面カバー９１は、ハンドル９２の前面に取り付けられる。表面カバー９１は、例えば両面粘着テープ、又は接着材にてハンドル９２の前面に貼り付けられる。表面カバー９１がハンドル９２の前面に取り付けられることで、開口窓９２１の前面側の開口は表面カバー９１にて塞がれる。したがって、操作部２１Ａは、後面が開口したラベル収納スペース９５を有することになる。表面カバー９１のうち、少なくともラベル収納スペース９５（開口窓９２１）に対応する部位は透明である。また、表面カバー９１の前面には、表示部２４Ａを構成する溝部９１１が形成されている。溝部９１１は、ハンドル９２の透孔９２３に対応する位置に形成されている。
【０１０８】
なお、正面視において、表面カバー９１とハンドル９２とは略同一形状であって、いずれも横方向（左右方向）に長い長方形状に形成されている。
【０１０９】
蓋部９４は、左右方向の一端部に軸部９４１を有し、軸部９４１周りで回転することによりラベル収納スペース９５の開口を開閉するように構成されている。そして、蓋部９４の後面には、スイッチ２２Ａに向けて突出する突起９４２Ａが形成されている。すなわち、蓋部９４の軸部９４１がハンドル９２の軸受部９２６にて支持されることにより、蓋部９４は軸部９４１を中心に回転可能な状態でハンドル９２に取り付けられる。本実施形態では、軸部９４１は、蓋部９４の左右方向の両端部のうち支点部９２４側の端部に設けられている。突起９４２Ａは、蓋部９４の後面における中央部に設けられている。
【０１１０】
固定枠２７０Ａは、外枠部２７と、桟部２７５とを有している。外枠部２７は、４本の辺部２７１〜２７４にて、上述したように四角枠状に形成されている。なお、外枠部２７の開口面積が前端部において前端部以外よりも小さくなるように、４本の辺部２７１〜２７４の各々は、長手方向に直交する断面がＬ字状に形成されている。
【０１１１】
桟部２７５は、４本の辺部２７１〜２７４のうち、上下方向に互いに対向する一対の辺部２７１，２７２間に架け渡されている。ここでは、桟部２７５は一対の辺部２７１，２７２の長手方向（左右方向）の中央部同士を連結するように形成されている。つまり、外枠部２７で囲まれた領域は、桟部２７５により２等分されることになる。以下では、外枠部２７で囲まれた領域であって、桟部２７５により区分された複数の領域の各々を「小領域」という。
【０１１２】
本実施形態では、このように形成される複数の小領域に、複数の操作部２１Ａが分かれて配置される。ここで、小領域は、正面視において外枠部２７の内周縁と桟部２７５の左右方向の中心軸とで囲まれる空間である。そのため、小領域に配置される操作部２１Ａの一部は、前後方向において桟部２７５と重なることになる。
【０１１３】
桟部２７５において、複数の凹所２８３の各々に対応する位置には前後方向に貫通した第１孔２７７Ａが形成されている。また、桟部２７５において、複数の表示用孔２８２Ａの各々に対応する位置には前後方向に貫通した第２孔２７８Ａが形成されている。
【０１１４】
さらに、外枠部２７の内周面には、パネルユニット９Ａとケース２０Ａとの結合用の結合爪２７９Ａが形成されている。
【０１１５】
ここで、複数の操作部２１Ａの各々は、押し操作が可能となるように、後方への移動が許容された状態で固定枠２７０Ａに保持される。以下に、固定枠２７０Ａが複数の操作部２１Ａを保持するための、具体的な構成について、図９Ａ及び図９Ｂを参照して説明する。ここで、図９Ａ及び図９Ｂは、操作端末器２Ａのうちパネルユニット９Ａのみを示す図である。図９Ｂは、パネルユニット９Ａの切断部端面図である。
【０１１６】
４本の辺部２７１〜２７４のうち、左右方向に互いに対向する一対の辺部２７３，２７４の各々に対して、連結部９３が固定される。連結部９３は、一対の辺部２７３，２７４の各々の後面に、例えば溶着や接着、又は嵌め込み構造にて固定される。また、上述した第１孔２７７Ａが、桟部２７５において複数のハンドル９２の各々の爪９２２に対応する位置に形成されている。そのため、連結部９３が外枠部２７に固定された状態で、複数の操作部２１Ａの各々は、爪９２２が第１孔２７７Ａに引っ掛かることにより、前方への移動が規制される。このとき、複数の操作部２１Ａの前面は外枠部２７の前面と略面一になる。
【０１１７】
さらに、本実施形態では、複数の操作部２１Ａの各々に対して、複数の操作部２１Ａの各々を前方へ押す向きの弾性力を作用させるばね片２７６Ａが、固定枠２７０Ａに形成されている。ばね片２７６Ａは、桟部２７５から、左右方向の両側に突出するように複数本設けられている。ばね片２７６Ａは、斜め前方に突出し複数の操作部２１Ａの各々の後面に接触している。ばね片２７６Ａは、１つの操作部２１Ａに対して２つずつ設けられている。１つの操作部２１Ａに対応する２つのばね片２７６Ａは、先端部を操作部２１Ａの後面における上下方向の両端部（ハンドル９２）に接触させるように配置されている。
【０１１８】
これにより、各操作部２１Ａは、押し操作により前面に押圧力を受けると、対応する２つのばね片２７６Ａを弾性変形させながら、支点部９２４を中心に回転して移動端９２５が後方に移動する。そして、各操作部２１Ａへの押圧力がなくなると、各操作部２１Ａは対応する２つのばね片２７６Ａの弾性力によって押し操作前の状態に復帰する。
【０１１９】
ところで、図９Ａに示すように、複数の操作部２１Ａが固定枠２７０Ａに保持された状態でも、蓋部９４の開閉は可能である。つまり、本実施形態では、１つの操作部２１Ａに対応する２つのばね片２７６Ａの間を通して蓋部９４が開閉し、蓋部９４と固定枠２７０Ａとの干渉は生じない。ここで、蓋部９４の後面に形成されている突起９４２Ａは、蓋部９４を開ける際に「つまみ」として利用できる。そして、蓋部９４が開放された状態では、各操作部２１Ａの後面側からラベル収納スペース９５へのアクセスが可能となり、ラベル収納スペース９５へのラベルの挿入やラベルの交換が可能になる。
【０１２０】
ケース２０Ａにパネルユニット９Ａが取り付けられた状態では、蓋部９４に設けた突起９４２Ａは、操作用孔２８１Ａを通して内カバー２８Ａを貫通し、その先端部がスイッチ２２Ａに突き合わされる。これにより、操作部２１Ａが押し操作されると、突起９４２Ａにてスイッチ２２Ａが押され、操作部２１Ａに対応するスイッチ２２Ａのオンオフが切り替わることになる。なお、移動端９２５が後方に移動する際、爪９２２は、第１孔２７７Ａを通して桟部２７５の後面から突出するので、内カバー２８Ａに形成された凹所２８３は、内カバー２８Ａと爪９２２との干渉を回避するためのスペースとして機能する。
【０１２１】
また、ケース２０Ａにパネルユニット９Ａが取り付けられた状態では、内カバー２８Ａの表示用孔２８２Ａ、固定枠２７０Ａの第２孔２７８Ａ、及びハンドル９２の透孔９２３が前後方向に連続する。これにより、プリント基板２３１Ａに実装されたＬＥＤ２４９Ａの光は、表示用孔２８２Ａ、第２孔２７８Ａ、及び透孔９２３を通して、表面カバー９１の溝部９１１に到達し、操作部２１Ａの前面に導光されることになる。
【０１２２】
以上説明した本実施形態の操作端末器２Ａにおいては、固定枠２７０Ａは、操作部２１Ａを保持し、操作部２１Ａと共にケース２０Ａの前面を覆うように、ケース２０Ａに取り付けられる。この構成によれば、操作部２１Ａがケース２０Ａに保持される構成に比較して、操作部２１Ａの前面と固定枠２７０Ａの前面との相対的な位置関係にばらつきが生じにくい。すなわち、本実施形態の操作端末器２Ａでは、操作部２１Ａと共にケース２０Ａの前面を覆う固定枠２７０Ａと、操作部２１Ａとで、壁表面からの突出量にばらつきが生じにくく、結果的に、操作端末器２Ａの表面形状にばらつきが生じにくい、という利点がある。これにより、例えば操作部２１Ａの前面と外枠部２７の前面とを略面一にするなどして、操作端末器２Ａの意匠性の向上を図ることができる。
【０１２３】
また、本実施形態のように、操作部２１Ａは、後面が開口したラベル収納スペース９５と、ラベル収納スペース９５の開口を塞ぐ蓋部９４とを有することが好ましい。蓋部９４は、ケース２０Ａの前面に沿う一方向の一端部に軸部９４１を有し、軸部９４１周りで回転することによりラベル収納スペース９５の開口を開閉するように構成されている。この場合、突起９４２Ａは、蓋部９４の後面に形成されていることが好ましい。この構成によれば、蓋部９４を開くことにより、操作部２１Ａの後面側からラベル収納スペース９５へのアクセスが可能となり、ラベル収納スペース９５へのラベルの挿入やラベルの交換が可能になる。しかも、蓋部９４の後面に形成された突起９４２Ａは、操作部２１Ａの押し操作時にスイッチ２２Ａを押すだけでなく、蓋部９４を開ける際の「つまみ」としても利用可能である。本実施形態でのラベル収納スペース９５及び蓋部９４は操作端末器２Ａに必須の構成ではなく、ラベル収納スペース９５及び蓋部９４は適宜省略されていてもよい。
【０１２４】
以下、実施形態２の変形例を列挙する。
【０１２５】
実施形態２では、複数の操作部２１Ａの前面と外枠部２７の前面とは、略面一に配置されているが、この構成は操作端末器２Ａに必須の構成ではない。つまり、例えば複数の操作部２１Ａの前面が外枠部２７の前面よりも後方に位置してもよいし、反対に、複数の操作部２１Ａの前面が外枠部２７の前面よりも前方に位置してもよい。
【０１２６】
また、操作部２１Ａは、ケース２０Ａの前面に直交する方向に移動可能となるように、固定枠２７０Ａに保持されていてもよい。具体例としては、操作部２１Ａは、パンタグラフ構造で、押し操作された際に前面を傾けることなく真っ直ぐ後方へ移動（直進移動）可能に構成される。この構成では、操作部２１Ａの前面におけるいずれの位置が押し操作されても対応するスイッチ２２Ａのオンオフを切り替えることができ、操作部２１Ａの操作性が向上する。
【０１２７】
また、ばね片２７６Ａは、操作部２１Ａと固定枠２７０Ａとの少なくとも一方に形成されていればよく、例えば、操作部２１Ａにばね片２７６Ａが形成されていてもよい。又は、ばね片２７６Ａは、操作部２１Ａと固定枠２７０Ａとの両方に形成されていてもよい。いずれの場合でも、ばね片２７６Ａは、操作部２１Ａに対して操作部２１Ａを前方へ押す向きの弾性力を作用させるように構成される。
【０１２８】
また、固定枠２７０Ａは、外枠部２７を構成する４本の辺部２７１〜２７４のうち互いに対向する一対の辺部２７１，２７２間に架け渡された桟部２７５を、複数本有していてもよい。この場合、外枠部２７で囲まれた領域は、桟部２７５により３以上の小領域に区分されることになる。したがって、複数の操作部２１Ａは、外枠部２７で囲まれた領域であって桟部２７５により区分された３以上の小領域に分かれて配置される。
【０１２９】
なお、本実施形態の構成は、実施形態１（変形例を含む）と適宜組み合わせて適用可能である。
【符号の説明】
【０１３０】
１  伝送ユニット（親機）
２，２Ａ  操作端末器
５  照明器具（負荷）
７  信号線
２０，２０Ａ  ケース
２１，２１１〜２１８，２１Ａ，２１１Ａ〜２１８Ａ  操作部
２２，２２１〜２２８，２２Ａ，２２１Ａ〜２２８Ａ  スイッチ
２３，２３Ａ  回路ブロック
９４  蓋部
９５  ラベル収納スペース
２８１，２８１Ａ  操作用孔
２８４，２８４Ａ  絶縁ボス
９４１  軸部
９４２，９４２Ａ  突起
【図１】
2017068992.tif 000003
【図２】
2017068992.tif 000004
【図３】
2017068992.tif 000005
【図４】
2017068992.tif 000006
【図５】
2017068992.tif 000007
【図６】
2017068992.tif 000008
【図７】
2017068992.tif 000009
【図８】
2017068992.tif 000010
【図９】
2017068992.tif 000011